(57)【要約】      （修正有）【課題】使用時に優れた快適性を有するピローを提供する。【解決手段】ピロー１は、外カバー層１０と親水性フォームと裏地層と充填物を含み、該外カバー層が少なくとも一つの所定の形状を有する布材、例えば混紡布を用いられ、連接作業、例えば縫製によって所定のピローの形状を形成し、該親水性フォームが親水性ＰＵ（ポリウレタン）フォームで形成され、該外カバー層の形状に応じて該外カバー層の内側表面の全部又は使用者と接触する一部に敷設され、該裏地層が該親水性フォームの内側表面に形成され、該裏地層と該外カバー層及び該親水性フォームとが対応し重合され、連接作業、例えば縫製によって一つの軟性中空ピロー造形物５０を形成し、該充填物が該軟性中空ピロー造形物の中空の内部に充填され、適当な飽和状態を形成し、これにより、該ピローの使用中には使用者に優れた快適性が提供できる。【選択図】図１
0003203895.tif 000002
【実用新案登録請求の範囲】
【請求項１】
外カバー層と親水性フォームと裏地層と充填物を含み、
該外カバー層には少なくとも一つの所定の形状を有する布材が用いられ、連接作業によって所定のピローの形状を形成し、
該親水性フォームが該外カバー層の内側表面の全部又は一部に形成され、
該裏地層が該外カバー層の内側表面又は該親水性フォームの内側表面に形成され、該裏地層と該外カバー層及び該親水性フォームとが対応し重合され、連接作業によって一つの軟性中空ピロー造形物を形成し、
該充填物が該軟性中空ピロー造形物の内部に充填され、適当な飽和状態を形成することを特徴とするピロー。
【請求項２】
該外カバー層の内側表面に形成される該親水性フォームの一部は、該外カバー層と使用者の体との接触面を含むことを特徴とする請求項１に記載のピロー。
【請求項３】
該連接作業は、縫製、加熱、超音波溶接作業を含むことを特徴とする請求項１に記載のピロー。
【請求項４】
該外カバー層は、不織布、織布、又は両者の組み合わせからなるもののうちの何れか１つからなることを特徴とする請求項１に記載のピロー。
【請求項５】
該親水性フォームの厚さは０．５〜２．０センチであることを特徴とする請求項１に記載のピロー。
【請求項６】
該親水性フォームは、親水性ＰＵ（ポリウレタン）フォーム（ｈｙｄｒｏｐｈｉｌｉｃ  Ｐｏｌｙｕｒｅｔｈａｎｅ  ｆｏａｍ）で形成されることを特徴とする請求項１に記載のピロー。
【請求項７】
該親水性のＰＵ（ポリウレタン）フォーム（ｈｙｄｒｏｐｈｉｌｉｃ  Ｐｏｌｙｕｒｅｔｈａｎｅ  ｆｏａｍ）は、発泡材料の主成分として親水性のＰＵプレポリマー（ｈｙｄｒｏｐｈｉｌｉｃ  ＰＵ  ｐｒｅｐｏｌｙｍｅｒ）４０〜６０％、アクリルエマルジョンポリマー（Ａｃｒｙｌｉｃ  Ｅｍｕｌｓｉｏｎ  ｐｏｌｙｍｅｒ）１０〜２０％、及びポリエーテルポリオール５〜２０％が用いられ、
該ポリエーテルポリオールは水、界面活性剤、アンモニア触媒を含み、
該ＰＵプレポリマーは、ポリエーテルポリオール（ｐｏｌｙｅｔｈｅｒ  ｐｏｌｙｏｌ）４０〜７０％、とイソシアネート（Ｉｓｏｃｙａｎａｔｅ）３０〜６０％を含み、またＰＵプレポリマーが含まれるポリエーテルポリオールの分子量は５０〜２０００であり、少なくとも４０モル％以上のエーテル基（-ＥＯ-）を含み、エーテル基（-ＥＯ-）の含有量が２０〜９９．９％であり、
全体としては、該イソシアネートと水との作用によるＣＯ２を発泡剤として発泡成形されることを特徴とする請求項５に記載のピロー。
【請求項８】
該親水性のＰＵ（ポリウレタン）フォーム（ｈｙｄｒｏｐｈｉｌｉｃ  Ｐｏｌｙｕｒｅｔｈａｎｅ  ｆｏａｍ）は、水性エマルジョンＥＶＡメモリーフォームであり、発泡材料の主成分として水性エマルジョンのＰＵプレポリマー３８〜５８％、水性エマルジョンポリマー８〜２２％、及びポリエーテルポリオール８〜２０％が用いられ、
それらのパーセンテージは各成分が総重量に占められる重量パーセントであり、
該ポリエーテルポリオールは水、界面活性剤、アンモニア触媒を含み、
該ＰＵプレポリマーは、ポリエーテルポリオール４０〜７０％、とイソシアネート３０〜６０％を含み、またＰＵプレポリマーが含まれるポリエーテルポリオールの分子量は６０〜１８００であり、少なくとも４０モル％以上のエーテル基（-ＥＯ-）を含み、エーテル基（-ＥＯ-）の含有量が１８〜９９．９％であり、
全体としては、該イソシアネートと水との作用によるＣＯ２を発泡剤として発泡成形されることを特徴とする請求項５に記載のピロー。
【請求項９】
該充填物は、絹、布、発泡体、緑豆の皮、茶の葉、竹炭、活性炭、通気嚢又はそれらの組合せであることを特徴とする請求項１に記載のピロー。
【請求項１０】
該軟性中空ピロー造形物はさらにその一側面に開き孔が設けられ、該開き孔の上にさらに該開き孔をオープンするとクローズする開閉装置が設けられることを特徴とする請求項１に記載のピロー。
【請求項１１】
該ピローはさらに係合構造を含み、該係合構造は、該外カバー層の一末端に設けられる第一係合部材と、該外カバー層の他の一末端に設けられる第二係合部材と、を含み、該第一係合部材と該第二係合部材とは互いに係合可能であることを特徴とする請求項１に記載のピロー。
【考案の詳細な説明】
【技術分野】
【０００１】
本考案は、ピローに関し、例えば、枕、座布団などに関する物品であり、特に、使用時の快適性を向上させるためにその外カバー層の内表面に親水性フォームを敷設するものに関する。
【背景技術】
【０００２】
ピローの使用は、使用者の体が座る、臥せる、掛ける、又は抱く時の快適性を満足させるためである。本考案に称するピローは枕、座布団などが含まれ、さらに抱き枕、クッションとして使用される他の機能を発揮するピロー又は乳幼児の授乳に使用される授乳用クッションなどに関する物品が含まれ、異なる機能によって異なるピロー形状に設計することができ、ここに、一般的にピローと呼ばれる。
従来のピローの構成は、普通に一つの布質、例えば混紡布の外カバー層を含み、その内部にさらに綿、布、又はその他の柔らかな材質が充填されて構成されるので、全体のピローの使用効果と言うと、全体のピローの使用中にその一部が圧迫を受けると容易に崩壊して変形につながり、また使用者がピローに長い間に接触する後、皮膚に接触する箇所には蒸暑く感じられるため、従来のピローが提供する快適性は十分ではないとのことであり、特に乳幼児へ使用される授乳用クッション又は枕としては、選択と使用の時に悩みがある。
市場では、ピローの全体をメモリーフォーム（ｍｅｍｏｒｙ  ｆｏａｍ）から形成されるものはあるが、メモリーフォーム（ｍｅｍｏｒｙ  ｆｏａｍ）の単位重量は普通のフォームよりかなり大きいため、全体の完成品が重くなり、生産コストも相応的に高くなり、そして、湿気と熱を吸収することができないので、使用時に蒸暑しさが発生し、相対的にピローの適用範囲が限られてしまう。例えば、母親の体の周りを束ねて使用する授乳用クッションの全体は、単位重量がより大きいメモリーフォームで形成されることはできない。
【０００３】
従って、どのように簡単な構成且つ容易に製造されるピローにより、ピローの使用の快適性を向上させ、ピローの外観が使用中に容易に崩壊して変形につながること及び皮膚接触面に蒸暑しさが発生することを防止することは、現在の重要な課題である。
【先行技術文献】
【特許文献】
【０００４】
【特許文献１】特開２００４−４９８０９号公報
【考案の概要】
【考案が解決しようとする課題】
【０００５】
本考案は、上記の従来の技術の問題点を解決するために完成されたものであり、その目的は、使用時に優れた快適性を有するピローを提供する。
【課題を解決するための手段】
【０００６】
上記の目的を達成するために、本考案のピローは、外側から内側まで、順に外カバー層、親水性フォーム、裏地層、および少なくとも一つの充填物を含み、該外カバー層が少なくとも一つの所定の形状を有する布材を用いられ、連接作業、例えば縫製によって形成され、該親水性フォームが該外カバー層の内側表面に形成され、該外カバー層の形状に応じ、該裏地層が該親水性フォームの内側表面に形成され、該外カバー層及び該親水性フォームとが対応し重合され、連接作業によって一つの軟性中空ピロー造形物を形成し、該充填物が該軟性中空ピロー造形物の内部に充填され、適当な飽和状態を形成する。
【考案の効果】
【０００７】
本発明のピローの使用中には使用者に優れた快適性が提供できる。
【図面の簡単な説明】
【０００８】
【図１】本考案のピローの一実施例（授乳用クッション）を示す外観斜面図である。
【図２】図１に示すピローの構成を示す拡大断面図である。
【図３】本考案のピローの別の実施例を示す外観斜面図である。
【図４】本考案のピローのまた別の実施例を示す外観斜面図である。
【考案を実施するための形態】
【実施例】
【０００９】
本考案を明確に説明するように、本考案の好ましい実施例を例示して図面を参照しながら、本考案の構成と技術特徴を下記に詳細に説明する。
【００１０】
図１及び図２に示すように、本考案の第一実施例は、外観が乳幼児の授乳に使用される授乳用クッションを例として説明するが、本考案を限定するものではない。本考案のピロー１の構成は、外側から内側まで、順に外カバー層１０、親水性フォーム２０、裏地層３０、および少なくとも一つの充填物４０を含み、図１、２に示す外カバー層１０、親水性フォーム２０、裏地層３０、および充填物４０の厚さは、ただ該ピロー１を説明するものであり、その厚さと比例は実際の厚さによって図示されるものではない。
【００１１】
該外カバー層１０は少なくとも一つの所定の形状を有する布材を用いられ、連接作業、例えば縫製によって所定のピローの形状を有する外カバー層を形成する。該外カバー層１０の布材は、混紡布、普通の織布、又は両者の組み合わせを使用するが、本考案を限定するものではなく、本実施例での連接作業は縫製作業を使用するが、本考案を限定するものではなく、当領域技術分野において機器及び材料の必要によって使用される他の連接技術、例えば、超音波溶接技術も使用される。
【００１２】
親水性フォーム２０は親水性フォーム（ｈｙｄｒｏｐｈｉｌｉｃ  ｆｏａｍ）を使用して形成されるが、本考案を限定するものではなく、その厚さは０．７〜１．５センチであることが好ましいが、本考案を限定するものではなく、該親水性フォーム２０の形状は該外カバー層１０の形状に対応することにより、該外カバー層１０の内側表面の全部又は一部に敷設され、該一部は該外カバー層１０と使用者の皮膚との接触面である又は該外カバー層１０と使用者の体との接触面を含むことであり、即ち、該外カバー層１０の上に使用者の皮膚と接触しない部分の内側表面に、該親水性フォーム２０を敷設しないことができる。本実施例では、該親水性フォーム２０は該外カバー層１０の内側表面の全部に敷設されるが、本考案を限定するものではない。
【００１３】
本実施例の親水性フォーム２０は、親水性のＰＵ（ポリウレタン、Ｐｏｌｙｕｒｅｔｈａｎｅ）フォーム（ｈｙｄｒｏｐｈｉｌｉｃ  Ｐｏｌｙｕｒｅｔｈａｎｅ  ｆｏａｍ）又は親水性のＰＵメモリーフォームからなるが、本考案を限定するものではない。該親水性のＰＵフォームは、発泡材料の主成分として親水性のＰＵプレポリマー（ｈｙｄｒｏｐｈｉｌｉｃ  ＰＵ  ｐｒｅｐｏｌｙｍｅｒ）４０〜６０％、アクリルエマルジョンポリマー（Ａｃｒｙｌｉｃ  Ｅｍｕｌｓｉｏｎ  ｐｏｌｙｍｅｒ）１０〜２０％、及びポリエーテルポリオール５〜２０％が用いられ、該ポリエーテルポリオールは適当な割合の水、界面活性剤、アンモニア触媒を含み、該ＰＵプレポリマーは、ポリエーテルポリオール（ｐｏｌｙｅｔｈｅｒ  ｐｏｌｙｏｌ）４０〜７０％、とイソシアネート（Ｉｓｏｃｙａｎａｔｅ）３０〜６０％を含み、またＰＵプレポリマーが含まれるポリエーテルポリオールの分子量は５０〜２０００であり、少なくとも４０モル％以上のエーテル基（-ＥＯ-）を含み、エーテル基（-ＥＯ-）の含有量が２０〜９９．９％であり、全体としては、該イソシアネートと多量の水との作用によるＣＯ２を発泡剤として発泡成形される。
【００１４】
該親水性のＰＵ（ポリウレタン）フォームは、水性エマルジョンＥＶＡメモリーフォームであり、発泡材料の主成分として水性エマルジョンのＰＵプレポリマー３８〜５８％、水性エマルジョンポリマー８〜２２％、及びポリエーテルポリオール８〜２０％が用いられ、それらのパーセンテージは各成分が総重量に占められる重量パーセントであり、該ポリエーテルポリオールは適当な割合の水、界面活性剤、アンモニア触媒を含み、該ＰＵプレポリマーは、ポリエーテルポリオール４０〜７０％、とイソシアネート３０〜６０％を含み、またＰＵプレポリマーが含まれるポリエーテルポリオールの分子量は６０〜１８００であり、少なくとも４０モル％以上のエーテル基（-ＥＯ-）を含み、エーテル基（-ＥＯ-）の含有量が１８〜９９．９％であり、全体としては、該イソシアネートと多量の水との作用によるＣＯ２を発泡剤として発泡成形される。
【００１５】
該裏地層３０は該親水性フォーム２０の内側表面に対応的に形成され、該裏地層３０と該親水性フォーム２０及び該外カバー層１０とが対応し重合され、図１、２に示すように、連接作業、例えば縫製作業（例え縫製線５１）によって一つのより強固な外観を有する軟性中空ピロー造形物５０を形成し、即ち、該裏地層３０の下敷きとする機能により、該親水性フォーム２０が縫製作業の後に（例え縫製線５１）、安定的に該外カバー層１０と該裏地層３０との間に対応して固定され、しわの発生をさせない。さらに、本実施例の該裏地層３０は真綿からなるが、本考案を限定するものではない。また、該縫製作業、例えば、縫製線５１、及び該外カバー層１０の布材の縫製作業、例えば、縫製線１１は、同時の縫製作業にすることができ、縫製線５１及び縫製線１１を同一の位置にし、図１、２に示すように一回に縫製作業を完成し、即ち、所定のピローの形状を有する外カバー層１０を縫製して形成する時に、該親水性フォーム２０を同時に安定的に該外カバー層１０と該裏地層３０との間に対応して固定させる。本考案のピロー１は適用の異なる機能によって異なるピロー形状に設計することができ、その中、縫製作業もピローの異なる形状によって設計を変更することもでき、縫製作業は本考案の主な技術特徴ではないため、ここに説明することをしない。
【００１６】
なお、該軟性中空ピロー造形物５０の一側面に、さらに適切な長さを有する開き孔６０が設けられ、充填物４０が該開き孔６０を通過して該軟性中空ピロー造形物５０の中空内部に挿入し、また該開き孔６０の上にさらに開閉装置７０が設けられ、例えば、ジッパー部材又はボタン部材からなり、容易に該開き孔６０をオープンする又はクローズし、該充填物４０の充填又は換えに便利である。
【００１７】
ここで、図１、２に示すピロー１の実施例により該ピロー１の製造工程を説明するが、本考案を限定するものではない。該外カバー層１０の形状によって上、下の二半部外カバー層１０ａ、１０ｂをカットし、また各半部外カバー層１０ａ、１０ｂの形状によって対応的に同じ形状を有する該親水性フォーム（２０）と該裏地層（３０）をカットし、各半部外カバー層１０ａ、１０ｂを同じ形状を有する該親水性フォーム（２０）と該裏地層（３０）に対応して重合させ、その周縁にそって縫製作業を行い、例えば、縫製線１１（５１）を縫製で一つの軟性中空ピロー造形物５０を形成し、並びに開閉装置７０を有する 開き孔６０を形成し、さらに適当と適量な充填物４０を選択し、適当な飽和状態で該開き孔６０を通過して該軟性中空ピロー造形物５０の中空内部に挿入し、該開閉装置７０を操作して該開き孔６０をクローズし、立体状態を呈する且つ適当なソフトな弾性を有するピロー１が完成する。
【００１８】
使用する時に、本考案のピロー１をどのように使用しても、適切な厚さを有する親水性フォーム２０の本考案に使用される親水性フォーム（ｈｙｄｒｏｐｈｉｌｉｃ  ｆｏａｍ）が具有する親水性とメモリー特性により、本考案のピロー１は、効果的に皮膚接触面に蒸暑しさが発生することを避け、ピローの外観が使用中に崩壊して変形につながることを防止する優れた効果を達することをさせ、使用者の快適性を大きく向上する。
【００１９】
図３、４に示すように、ピロー１は、さらに係合構造８０を含み、該ピロー１をリング形態にさせ、使用者の体に被せ、授乳用クッションの使用状態になる（図に示せず）。該係合構造８０は該外カバー層１０の一末端に設けられる第一係合部材８１と、該外カバー層１０の他の一末端に設けられる第二係合部材８２と、を含み、該第一係合部材８１と該第二係合部材８２は、それぞれに雄、雌ボタンから形成される（図３に示すように）又はバックルとバックルベルトから形成される（図４に示すように）ことであり、該バックルベルトが自己粘着のバックルベルト、例えば、Ｖｅｌｃｒｏ（登録商標）バックルベルトを使用することができる。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２１】
１……ピロー
１０……外カバー層
１０ａ……半部外カバー層
１０ｂ……半部外カバー層
１１……縫製線
２０……親水性フォーム
３０……裏地層
４０……充填物
５０……軟性中空ピロー造形物
５１……縫製線
６０……開き孔
７０……開閉装置
８０……係合構造
８１……第一係合部材
８２……第二係合部材
【図１】
0003203895.tif 000003
【図２】
0003203895.tif 000004
【図３】
0003203895.tif 000005
【図４】
0003203895.tif 000006